(57)【要約】【課題】着用時の吸収性コアにおける歪み及びしわの発生を改善してフィット性を向上させると共に、液流れの発生を抑制し得る吸収性物品を提供すること。【解決手段】吸収性コア２４には、縦方向における前記吸収性物品の中央位置より後方に位置するコア後部２４Ｂに、縦方向Ｘ及び横方向Ｙに分散した状態に複数の凹部４Ａ〜４Ｃが形成されており、コア後部２４Ｂの横方向Ｙの中央部に、凹部４Ａを複数有する中央凹部領域５５が形成され、該中央凹部領域５５を挟む両側それぞれに、凹部４Ｂを複数有する側方凹部領域５６が形成されており、凹部４Ａ、４Ｂの縦方向Ｘの長さを横方向Ｙの長さで除した値である縦横比は、側方凹部領域５６よりも中央凹部領域５５の方が１．０に近く、凹部４Ａ，４Ｂの面積は、側方凹部領域５６よりも中央凹部領域５５の方が大きい。【選択図】図５
2018102716.tif 000002
【特許請求の範囲】
【請求項１】
表面シート、裏面シート及びこれらの間に配された吸収性コアを有し、着用者の前後方向に相当する縦方向及び該縦方向に直交する横方向を有する吸収性物品であって、
前記吸収性コアには、前記縦方向における前記吸収性物品の中央位置より後方に位置するコア後部に、前記縦方向及び前記横方向に分散した状態に複数の凹部が形成されており、
前記コア後部の前記横方向の中央部に、前記凹部を複数有する中央凹部領域が形成され、該中央凹部領域を挟む両側それぞれに、前記凹部を複数有する側方凹部領域が形成されており、
前記凹部の前記縦方向の長さを前記横方向の長さで除した値である縦横比は、前記側方凹部領域よりも前記中央凹部領域の方が１．０に近く、
前記凹部の面積は、前記側方凹部領域よりも前記中央凹部領域の方が大きい、吸収性物品。
【請求項２】
前記吸収性コアは、中央幅狭部、並びに該中央幅狭部の前後に位置し前記横方向の長さが該中央幅狭部より長いコア前方部及びコア後方部を有しており、前記中央凹部領域及び前記側方凹部領域が、該コア後方部に形成されている、請求項１に記載の吸収性物品。
【請求項３】
前記凹部の面積率は、前記側方凹部領域よりも前記中央凹部領域の方が大きい、請求項１又は２に記載の吸収性物品。
【請求項４】
前記吸収性コアは、前記中央凹部領域より後方に、複数の凹部を有する後方凹部領域を有しており、
前記凹部の前記縦横比は、前記後方凹部領域よりも前記中央凹部領域の方が大きい、請求項１〜３の何れか１項に記載の吸収性物品。
【請求項５】
前記凹部の前記縦横比は、前記中央凹部領域よりも前記側方凹部領域の方が大きい、請求項１〜４の何れか１項に記載の吸収性物品。
【請求項６】
前記コア後部の後端側且つ横方向の両端における角部に、該角部に対向した状態に斜めに配向した前記凹部が形成されている、請求項１〜５の何れか１項に記載の吸収性物品。
【請求項７】
前記凹部が、前記吸収性コアを貫通する貫通部であるか、又は他の部分に比して低坪量に形成されている、請求項１〜６の何れか１項に記載の吸収性物品。
【請求項８】
成人用のパンツ型着用物品である、請求項１〜７の何れか１項に記載の吸収性物品。
【発明の詳細な説明】
【技術分野】
【０００１】
本発明は吸収性物品に関する。
【背景技術】
【０００２】
使い捨ておむつや生理用品に用いられる吸収体として、該吸収体の肌対向面にエンボス加工が施されたものや溝を有するものが知られている。
例えば特許文献１は、吸収体において股下領域の幅方向中央には、前記吸収体が内方向に凸に曲がることができるように中央曲部が形成され、前記股下領域の前記中央曲部に対する幅方向外側には、前記吸収体が前記外方向に凸に曲がることができるように第１曲部が形成され、前記股下領域の前記第１曲部に対する幅方向外側には、前記吸収体が前記内方向に凸に曲がることができるように第２曲部が形成されており、前記第１曲部に対する前記長手方向外側の前記吸収体には、前記吸収体の幅方向外側端部から前記幅方向内側に向かって凹んだ凹み部が形成されており、前記第２曲部は、前記凹み部の前記幅方向における内側端部よりも、幅方向外側に配置されていることを特徴とする使い捨て着用物品が記載されている。
【０００３】
また特許文献２には、透液性表面シートと、裏面シートとの間に吸収体が介在され、前記透液性表面シート面側に、左右対で略長手方向に沿う縦方向エンボス溝が形成された吸収性物品において、前記縦方向エンボス溝は、吸収性物品の後部側から前部側にかけて離間幅を狭める形状としたことを特徴とする吸収性物品が記載されている。
【０００４】
また本出願人は、先に、多層からなる吸収体を有し、該吸収体は一又は複数の上層吸収体が下層吸収体の上に積層されて形成されており、一又は複数の前記上層吸収体は、多数の深い凹部により前記下層吸収体と接合一体化されており、前記下層吸収体には、多数の浅い凹部が形成されており、該浅い凹部は、平面視において前記上層吸収体の周縁の内側の領域にも形成されている吸収性物品を提案している（特許文献３）。
【先行技術文献】
【特許文献】
【０００５】
【特許文献１】特開２０１３−１３５２４号公報
【特許文献２】特開２００７−１４３６９９号公報
【特許文献３】特開２００８−７９７４６号公報
【発明の概要】
【発明が解決しようとする課題】
【０００６】
しかし、特許文献１及び２に記載の吸収性物品は、臀部の割れ目に対応する部分及びその周辺においては吸収体（吸収性コア）の歪みが大きくなって、吸収体にシワが発生することで、体液の液流れを引き起こすことがあった。一方、吸収体における臀部の盛り上がり部分に対応する部分等が大きく変形すると、歪みが発生し、臀部へのフィット性が低下することがあった。
【０００７】
また、特許文献３に記載の吸収性物品においても、着用時の吸収体（吸収性コア）の曲げに伴う歪みやシワの発生について改善の余地があった。
【０００８】
本発明の課題は、上述した従来技術が有する解決課題を解決し得る吸収性物品を提供することに関する。
【課題を解決するための手段】
【０００９】
本発明は、表面シート、裏面シート及びこれらの間に配された吸収性コアを有し、着用者の前後方向に相当する縦方向及び該縦方向に直交する横方向を有する吸収性物品であって、前記吸収性コアには、前記縦方向における前記吸収性物品の中央位置より後方に位置するコア後部に、前記縦方向及び前記横方向に分散した状態に複数の凹部が形成されており、前記コア後部の前記横方向の中央部に、前記凹部を複数有する中央凹部領域が形成され、該中央凹部領域を挟む両側それぞれに、前記凹部を複数有する側方凹部領域が形成されており、前記凹部の前記縦方向の長さを前記横方向の長さで除した値である縦横比は、前記側方凹部領域よりも前記中央凹部領域の方が１．０に近く、前記凹部の面積は、前記側方凹部領域よりも前記中央凹部領域の方が大きい、吸収性物品を提供するものである。
【発明の効果】
【００１０】
本発明によれば着用時の吸収性コアにおける歪み及びしわの発生を改善し、フィット性を向上させると共に、液流れの発生を抑制し得る。
【図面の簡単な説明】
【００１１】
【図１】図１は、本発明の吸収性物品の一実施形態であるパンツ型使い捨ておむつの基本構成を示す斜視図である。
【図２】図２は、図１に示すパンツ型使い捨ておむつの、展開且つ伸長状態における肌対向面側を模式的に示す展開平面図である。
【図３】図３は、図２のＩ−Ｉ線断面を模式的に示す横断面図である。
【図４】図４は、図１に示すパンツ型使い捨ておむつを模式的に示す分解斜視図である。
【図５】図５は、図１に示すパンツ型使い捨ておむつが具備する好ましい吸収性コアの一例を示す模式平面図である。
【図６】図６（ａ）及び（ｂ）は、中央凹部領域、側方凹部領域及び後方凹部領域における凹部のパターンを示す模式平面図である。
【図７】図７（ａ）は、コア後方部における中央凹部領域、側方凹部領域及び後方凹部領域の位置及び寸法を示す図である。図７（ｂ）は、中中央凹部領域、側方凹部領域及び後方凹部領域に位置する各凹部の寸法を示す図である。
【図８】図８（ａ）〜（ｃ）は、本発明における凹部の縦方向の断面図である。
【図９】図９は、図１に示すパンツ型使い捨ておむつの着用中における、吸収性コアの変形状態を模式的に示す斜視図である。
【発明を実施するための形態】
【００１２】
以下本発明を、その好ましい実施形態に基づき図面を参照しながら説明する。図１〜図４には、本発明の吸収性物品の一実施形態であるパンツ型使い捨ておむつの一例であるおむつ１の基本構成が示されている。おむつ１は、着用者の前後方向に相当する縦方向Ｘ及び該縦方向Ｘに直交する横方向Ｙを有する。また、股下部Ｂ並びに該股下部Ｂの前後から縦方向Ｘに延出する腹側部Ａ及び背側部Ｃを有し、液保持性を有する吸収体２３（吸収性コア２４）を股下部Ｂに具備する。股下部Ｂは、おむつ１の着用状態において着用者の股間部に配される部位であり、腹側部Ａは、おむつ１の着用状態において股下部Ｂよりも着用者の腹側即ち縦方向Ｘの前側に配される部位であり、背側部Ｃは、おむつ１の着用状態において股下部Ｂよりも着用者の背側即ち縦方向Ｘの後側に配される部位である。
【００１３】
おむつ１は、吸収体２３を具備する吸収性本体２と、該吸収性本体２よりも着用者の身体から遠い側に配された外装体３とを備え、腹側部Ａ及び背側部Ｃそれぞれにおける外装体３の縦方向Ｘに沿う両側縁部ＡＳ，ＣＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１４】
おむつ１は、図２に示すように、おむつ１を縦方向Ｘに二等分して横方向Ｙに延びる縦中心線ＣＬｘを基準として、着用状態において着用者の身体の前側（腹側）を覆う前身頃Ｆと、着用状態において着用者の身体の後側（背側）を覆う後身頃Ｒとに区分される。腹側部Ａは前身頃Ｆの一部であり、背側部Ｃは後身頃Ｒの一部であり、股下部Ｂは前身頃Ｆと後身頃Ｒとに跨って存している。腹側部Ａ及び背側部Ｃは、何れも縦方向Ｘにおいてサイドシール部Ｓと同位置にある部分であり、おむつ１の着用状態において着用者のウエスト部を含む胴周りに配される。股下部Ｂは、外装体３の縦方向Ｘに沿う両側縁部にレッグ開口部ＬＨ，ＬＨ形成用の凹欠部が形成されている領域である。
【００１５】
吸収性本体２は、図２に示す如きおむつ１の展開且つ伸長状態において、平面視長方形形状をなし、腹側部Ａから背側部Ｃにわたって縦方向Ｘに延在しており、その長手方向を展開且つ伸長状態におけるおむつ１の縦方向Ｘに一致させて、外装体３の横方向Ｙの中央部に配置され、接着剤により外装体３に接合されている。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１６】
おむつ１は、表面シート２１、裏面シート２２及びこれらの間に配された吸収体２３を有している。より具体的には、吸収性本体２は、図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。
吸収体２３は、液保持性の吸収性コア２４と、該吸収性コア２４を被覆するコアラップシート２５とを含んで構成されており、吸収性コア２４は、コアラップシート２５に被覆された状態で、表面シート２１と裏面シート２２との間に配されている。吸収性コア２４は、肌対向面側の表面及び非肌対向面の表面の全域がコアラップシート２５に被覆されており、より詳細には、縦方向に沿う両側面を含めた吸収性コアの横断面の全周囲がコアラップシート２５に被覆されている。吸収性コア２４とコアラップシート２５との間は、ホットメルト型接着剤等の公知の接合手段により接合されている。
【００１７】
本明細書において、「肌対向面」は、吸収性物品又はその構成部材（例えば吸収性コア）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側に向けられる面、即ち相対的に着用者の肌から遠い側である。尚、ここでいう「着用時」は、通常の適正な着用位置、即ち当該吸収性物品の正しい着用位置が維持された状態を意味し、吸収性物品が該着用位置からずれた状態にある場合は含まない。
【００１８】
吸収性コア２４は、扁平な単層構造を有するもので、中央幅狭部２４０、並びに中央幅狭部２４０の前後に位置し横方向Ｙの長さが該中央幅狭部２４０より長いコア前方部２４１及びコア後方部２４２を有している。具体的には、おむつ１における吸収性コア２４は、図２に示す如き平面視において砂時計状、即ち、横方向Ｙの長さが短い中央幅狭部２４０の縦方向Ｘの前端に中央幅狭部２４０よりも横方向Ｙの長さが長いコア前方部２４１が連接されていると共に、中央幅狭部２４０の縦方向Ｘの後端に中央幅狭部２４０よりも横方向Ｙの長さが長いコア後方部２４２が連接されている形状をなしている。図２に示すように、吸収性コア２４の中央幅狭部２４０は股下部Ｂに位置している。コア前方部２４１とコア後方部２４２とは、縦方向Ｘの長さが同じではなく、コア後方部２４２の方が長い。
おむつ１における吸収性コア２４は、図２に示す如きおむつ１の展開且つ伸長状態の平面視において、外装体３における腹側部Ａの側縁部ＡＳと背側部Ｃの側縁部ＣＳとに挟まれた領域である、股下部Ｂに配されている。
【００１９】
吸収性コア２４の外面を被覆するコアラップシート２５は、図２に示すように、吸収性コア２４よりも縦方向Ｘの長さが長く、吸収性コア２４の縦方向Ｘの前端２４ａ及び後端２４ｂそれぞれから縦方向Ｘの外方に延出し、股下部Ｂのみならず、腹側部Ａ及び背側部Ｃにも配されている。コアラップシート２５は、吸収性コア２４の外面全体を被覆し得る大きさを有する１枚の連続したシートであっても良く、あるいは、吸収性コア２４の肌対向面を被覆する１枚の肌側コアラップシートと、非肌対向面を被覆する１枚の非肌側コアラップシートとから構成されていても良い。
【００２０】
表面シート２１、裏面シート２２並びに吸収体２３を構成する吸収性コア２４及びコアラップシート２５としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収性コア２４は、吸収性材料を含むコア形成材料の堆積物である。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア２４は、親水性繊維の積繊体、あるいは該積繊体に吸水性ポリマー粒子を担持させたものであり得る。コアラップシート２５としては、紙、不織布等の液透過性シートを用いることができる。
【００２１】
図２及び図３に示すように、吸収性本体２の肌対向面における縦方向Ｘに沿う左右両側部には、液抵抗性又は撥水性で且つ通気性のシート材から構成された一対の防漏カフ２６，２６が設けられている。各防漏カフ２６の自由端部の近傍には糸状の防漏カフ形成用弾性部材２７が１本以上伸長状態で配されている。防漏カフ２６は、伸長状態で配された弾性部材２７がおむつ１の着用時に収縮することによって少なくとも股下部Ｂで起立し、それによって尿等の排泄液の横方向Ｙの外方への流出を阻止する。
【００２２】
外装体３は、図２に示す如き展開且つ伸長状態のおむつ１の外形を形作っており、外装体３の周縁は、その状態のおむつ１の輪郭線、即ち腹側部Ａ、股下部Ｂ及び背側部Ｃそれぞれの輪郭線を形成している。外装体３は、図２に示すように、腹側部Ａ及び背側部Ｃにおいては、縦方向Ｘよりも横方向Ｙの長さが長い矩形形状をなし、腹側部Ａと背側部Ｃとの間に位置する股下部Ｂにおいては、外装体３の縦方向Ｘに沿う両側縁部即ち一対のレッグ縁部ＬＳ，ＬＳが横方向Ｙの中央に向かって凸の円弧状に湾曲しており、図２に示す如き平面視において、縦方向Ｘの中央域が横方向Ｙの内方に向けて括れた砂時計状をなしている。
【００２３】
外装体３は、図３に示すように、着用状態においておむつ１の外面即ち非肌対向面を形成する外層シート３１と、外層シート３１の肌対向面に対向配置された内層シート３２との積層体を含んで構成されている。おむつ１の着用状態において、外層シート３１は着用者の身体から遠い側に位置して、おむつ１の非肌対向面（外面）を形成し、内層シート３２は着用者の身体に近い側に位置して、おむつ１の肌対向面（内面）を形成する。外層シート３１と内層シート３２とは、所定の部位において接着剤等の接合手段を介して互いに接合されている。外層シート３１は、図４に示すように腹側部Ａ及び背側部Ｃに、内層シート３２の縦方向Ｘの端縁から延出する部分３１Ｅを有し、その延出部３１Ｅは、図２に示すように、内層シート３２の肌対向面側に折り返され、吸収性本体２の縦方向Ｘの端部を被覆している。
【００２４】
外装体３は、ウエスト開口部ＷＨの開口縁部にウエストギャザーを形成するウエスト弾性部材３３を備えている。即ち、腹側部Ａ及び背側部Ｃそれぞれにおけるウエスト開口部ＷＨの開口縁部及びその近傍には、１本又は複数本（本実施形態では複数本）のウエストギャザー形成用のウエスト弾性部材３３が横方向Ｙの全長にわたって伸長状態で配されており、これによってウエスト開口部ＷＨには、その全周にわたって実質的に連続した環状のウエストギャザーが形成されている。
さらに外装体３は、一対のレッグ開口部ＬＨ，ＬＨそれぞれの開口縁部にレッグギャザーを形成するレッグ弾性部材として、後身頃Ｒに伸長状態で配された１本又は複数本（本実施形態では複数本）の後側レッグ弾性部材３４を備えている。尚、おむつ１においては、前身頃Ｆにはレッグ弾性部材は配されていないが、前身頃Ｆに前側レッグ弾性部材が配されていても良く、その前側レッグ弾性部材は、後側レッグ弾性部材３４と同様の配置形態とすることができる。
ウエスト弾性部材３３及び後側レッグ弾性部材３４は、それぞれ糸状又は帯状であり、外装体３を構成する外層シート３１と内層シート３２との間に接着剤により挟持固定されている。
【００２５】
本実施形態においては、図４に示すように、内層シート３２は１枚の連続したシートから構成されているのに対し、外層シート３１は複数枚のシートが組み合わされて構成されており、腹側部Ａを構成する腹側外層シート３１Ａと、背側部Ｃを構成する背側外層シート３１Ｃと、両シート３１Ａ，３１Ｃ間に位置して股下部Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００２６】
外装体３を構成するシート３１（３１Ａ，３１Ｂ，３１Ｃ），３２は、互いに同種のシートでも良く、あるいは異種のシートでも良く、後者の例として、伸縮性が互いに異なる形態が挙げられる。具体的には例えば、腹側外層シート３１Ａ及び背側外層シート３１Ｃとしては、横方向Ｙに伸縮性を有する伸縮性シートを用い、外層シート３１の残りの部分即ち股下外層シート３１Ｂ及び内層シート３２は、伸縮性を有していない非伸縮性シートを用いることができる。外装体３として使用可能な伸縮性シートとしては、例えば、弾性繊維層の両面又は片面に伸長可能な繊維層が一体化されている伸縮性シートが挙げられ、弾性繊維層と伸長可能な繊維層との一体化の方法としては、例えば、両者を積層して水流交絡する方法、エアスルー等により繊維を交絡させる方法、ヒートエンボス、接着剤、超音波等によって接合させる方法が挙げられる。また、外装体３として使用可能な非伸縮性シートとしては、例えば、各種製法による不織布が挙げられ、具体的にはスパンボンド不織布、エアスルー不織布、ニードルパンチ不織布を例示できる。
【００２７】
吸収性コア２４は、縦方向Ｘにおける吸収性物品（おむつ１）の中央位置より後方に位置するコア後部２４Ｂを有している。より具体的には、吸収性物品は縦方向Ｘに２等分し横方向Ｙに延びる縦中心線ＣＬｘよりも前方に位置するコア前部２４Ａと、後方に位置するコア後部２４Ｂとを有している。前述のとおり、吸収性コア２４は縦方向Ｘの前側から順に、コア前方部２４１、中央幅狭部２４０、コア後方部２４２を有しているところ、コア前部２４Ａはコア前方部２４１及び中央幅狭部２４０の縦方向Ｘにおける前端から縦中心線ＣＬｘまでの部分を含み、コア後部２４Ｂは中央幅狭部２４０の縦方向Ｘにおける縦中心線ＣＬｘから後端までの部分及びコア後方部２４２を含む（図５参照）。吸収性コア２４は、吸収性コア２４の外形形状（輪郭線）は、吸収性コア２４を横方向Ｙに２等分して縦方向Ｘに延びる横中心線ＣＬｙを基準として、一方側と他方側とで対称に形成されている。
【００２８】
本実施形態のおむつ１におけるコア後部２４Ｂは、前側から順に後方第１領域２４３及び後方第２領域２４４を含んで構成されている。より具体的には、コア後方部２４２が、後方第１領域２４３及び後方第２領域２４４を含んでいる。また後方第２領域２４４は、後方第１領域２４３の縦方向Ｘの後端に連接されている。後方第１領域２４３は、横方向Ｙの長さが、縦方向Ｘの前側から後側に向かって急激に増加しているのに対して、後方第２領域２４４は、横方向Ｙの長さが、縦方向Ｘの前側から後側に向かって略一定であるか、縦方向Ｘの単位長さ当たりの横方向Ｙの長さの増加量が、後方第１領域２４３に比して顕著に小さい。
【００２９】
コア後部２４Ｂ及びコア後方部２４２は、横方向Ｙの中央部が、着用者の臀部の割れ目（臀裂）に位置するように形成されている。より具体的には、コア後方部２４２の後方第１領域２４３、特に後方第１領域２４３の後端側の部分は、着用者の臀部の割れ目の前端寄りの部分にあり、後方第２領域２４４は、臀部の割れ目の前端寄りの部分から所定距離離間した後方の位置にある。後方第１領域２４３の縦方向Ｘに沿う両側縁は、それぞれ図５に示す如き平面視において、中央幅狭部２４０と後方第１領域２４３（コア後方部２４２）との境界から、横方向Ｙの外方且つ縦方向Ｘの後方に向かって斜めに延びている。一方、後方第２領域２４４は、図５に示すように、その縦方向Ｘに沿う両側縁は、縦方向Ｘに平行である。
【００３０】
コア後部２４Ｂは、横方向Ｙにおける中央に位置する中央部５０と、該中央部５０を挟む両側それぞれに位置する側部５１，５１とを有している。より具体的には、吸収性コア２４は、コア後部２４Ｂを、吸収性物品の縦方向Ｘに延びる互いに平行な２直線であって且つ該コア後部２４Ｂの横方向Ｙの最大長さ（最大幅ともいう）を３等分する２直線で区分したとき、その中央に位置する中央部５０とその両側の側部５１，５１とを有している。
【００３１】
図５に示すように、吸収性コア２４のコア後部２４Ｂ、より具体的にはコア後方部２４２には、縦方向Ｘ及び横方向Ｙに分散した状態に複数の凹部４が形成されている。
また、コア後部２４Ｂの横方向Ｙの中央部５０に、凹部４を複数有する中央凹部領域５５が形成され、該中央部５０を挟む両側それぞれに、凹部４を複数有する側方凹部領域５６が形成されている。
ここで、中央部５０には凹部４Ａが複数形成されているが、図６（ａ）及び（ｂ）に示すように、これら凹部４Ａのうち、中央部５０において最も外方に位置する凹部４Ａの外縁を結んだ線で囲まれる領域を、中央凹部領域５５とする。また、中央凹部領域５５を挟む両側それぞれには凹部４Ｂが形成され、具体的には側部５１，５１に凹部４Ｂが複数形成されているが、図６（ａ）及び（ｂ）に示すように、これら凹部４Ｂのうち、側部５１，５１の周辺において最も外方に位置する凹部４Ｂの外縁を結んだ線で囲まれる領域を、側方凹部領域５６とする。中央凹部領域５５に位置する凹部を凹部４Ａ、側方凹部領域５６に位置する凹部を凹部４Ｂともいう。なお、後述する後方凹部領域５７における凹部を凹部４Ｃ、及び角部５８における凹部を凹部４Ｄともいう。これら凹部４Ａ、４Ｂ４Ｃ及び４Ｄを総称して、凹部４ともいう。
【００３２】
また、凹部４の縦方向Ｘの長さを横方向Ｙの長さで除した値である縦横比（縦幅／横幅）は、側方凹部領域５６よりも中央凹部領域５５の方が１．０に近い。吸収体２３を変形しやすくするよう、一般的に吸収性コアに凹部が設けられている。しかし、吸収性コア２４の臀部の割れ目に当接する部分に凹部を設けたとしても、凹部を屈曲部として吸収性コアが大きく屈曲すると、該凹部の周辺において大きい歪みが発生することがあった。特に吸収性コアを屈曲する屈曲方向及びこれに直交する直交方向において、凹部の屈曲方向における幅が長いと、直交方向の両側で歪みが発生しやすい。さらに、臀部の割れ目に当接する部分のように屈曲方向が複数あって、凹部に屈曲点が複数発生する場合、凹部の直交方向における両側で発生する歪みが、屈曲方向の増加に伴い増大する傾向にある。また、コア後部２４Ｂにおける側部５１，５１は、臀部の盛り上がり部分が当接する部分であり、該部分は中央部５０ほど大きな屈曲を要しない部分であるが、中央部５０の屈曲に追従して側部５１も大きく屈曲し過ぎることで、歪が発生することがある。
【００３３】
一方、本発明の吸収性物品は、凹部４の縦横比（縦幅／横幅）を、側方凹部領域５６よりも中央凹部領域５５の方を１．０に近くすることにより、凹部４の直交方向の両側における歪みの発生を抑制することができる。即ち凹部４における屈曲方向の幅と直交方向の幅との差を小さくすることで、縦方向の両側及び横方向の両側に発生する屈曲点を一ヶ所に集中させることができ、歪みの発生を抑えることができる。また、本発明の吸収性物品は、凹部４の縦横比を、中央凹部領域５５よりも側方凹部領域５６の方を１．０よりも大きくする、即ち凹部４の屈曲方向の幅を短く、且つ直交方向の幅を長くすることにより、コア後部２４Ｂの側部５１における歪みの発生を抑制すると共に、臀部の盛り上がり部分に応じた小さい屈曲を実現することができる。ここで、側方凹部領域５６における臀部の盛り上がり部分に応じた屈曲方向はコア後部２４Ｂの横方向Ｙであり、直交方向は縦方向Ｘである。
【００３４】
上記の効果をより確実に奏させるため、中央凹部領域５５の凹部４Ａの縦横比（縦幅Ｌ４Ａ／横幅Ｗ４Ａ）は、好ましくは０．５以上、より好ましくは０．７以上であり、また好ましくは２．０以下、より好ましくは１．３以下であり、また好ましくは０．５以上２．０以下、より好ましくは０．７以上１．３以下である。
また、側方凹部領域５６の凹部４Ｂの縦横比（縦幅Ｌ４Ｂ／横幅Ｗ４Ｂ）は、好ましくは１．３以上、より好ましくは２．０以上であり、また好ましくは２０以下、より好ましくは１０以下であり、また好ましくは１．３以上２０以下、より好ましくは２．０以上１０以下である。
【００３５】
また、凹部４の面積は、側方凹部領域５６よりも中央凹部領域５５の方が大きい。凹部の直交方向における両側で発生する歪みは、凹部４自体ではなく、凹部４の周辺部分で発生しやすい。また、前述したように、コア後部２４Ｂの中央部５０は大きな屈曲が発生する傾向にある。そこで、本発明の吸収性物品は、凹部４の面積を、側方凹部領域５６よりも中央凹部領域５５の方を大きくすることにより、中央凹部領域５５における歪みが発生する部分（面積）を減らし、歪みの発生を抑えることができる。さらに、側部５１，５１は中央部５０ほど大きな屈曲は発生しない傾向にあるため、側方凹部領域５６の凹部４Ｂの面積を中央凹部領域５５よりも小さくすることで、臀部の盛り上がり部分に応じた屈曲を実現できる。
本発明の吸収性物品は、上記のようにコア後部２４Ｂを臀部の割れ目及び盛り上がり部分の形状に合わせて変形させることで、着用時の吸収性コア２４における歪み及びしわの発生を改善してフィット性を向上させると共に、歪み及びしわによる液流れの発生を抑制し得る。
【００３６】
上記の効果をより確実に奏させるため、中央凹部領域５５に位置する各凹部４Ａの合計面積Ｓ４Ａは、好ましくは５００ｍｍ２以上、より好ましくは１０００ｍｍ２以上であり、また好ましくは８０００ｍｍ２以下、より好ましくは５０００ｍｍ２以下であり、また好ましくは５００ｍｍ２以上８０００ｍｍ２以下、より好ましくは１０００ｍｍ２以上５０００ｍｍ２以下である。
また、側方凹部領域５６に位置する各凹部４Ｂの合計面積Ｓ４Ｂは、好ましくは１００ｍｍ２以上、より好ましくは２００ｍｍ２以上であり、また好ましくは１０００ｍｍ２以下、より好ましくは６００ｍｍ２以下であり、また好ましくは１００ｍｍ２以上１０００ｍｍ２以下、より好ましくは２００ｍｍ２以上６００ｍｍ２以下である。
【００３７】
コア後部２４Ｂの中央部５０における歪の発生をより抑制する観点から、図７（ａ）に示す中央凹部領域５５の凹部４Ａは以下の範囲にあることが好ましい。
凹部４Ａの横方向Ｙにおける幅Ｗ４Ａ（以下、横幅Ｗ４Ａともいう）は、好ましくは２ｍｍ以上、より好ましくは４ｍｍ以上であり、また好ましくは２０ｍｍ以下、より好ましくは１５ｍｍ以下であり、また好ましくは２ｍｍ以上２０ｍｍ以下、より好ましくは４ｍｍ以上１５ｍｍ以下である。
中央凹部領域５５に位置する凹部４Ａの縦方向Ｘにおける幅Ｌ４Ａ（以下、縦幅Ｌ４Ａともいう）は、好ましくは２ｍｍ以上、より好ましくは４ｍｍ以上であり、また好ましくは２０ｍｍ以下、より好ましくは１５ｍｍ以下であり、また好ましくは２ｍｍ以上２０ｍｍ以下、より好ましくは４ｍｍ以上１５ｍｍ以下である。
【００３８】
中央凹部領域５５に位置する各凹部４Ａの面積Ｓａは、好ましくは４ｍｍ２以上、より好ましくは１０ｍｍ２以上であり、また好ましくは４００ｍｍ２以下、より好ましくは２５０ｍｍ２以下であり、また好ましくは４ｍｍ２以上４００ｍｍ２以下、より好ましくは１０ｍｍ２以上２５０ｍｍ２以下である。
【００３９】
中央凹部領域５５に位置する凹部４Ａの横方向Ｙにおける幅Ｗ４Ａは、中央凹部領域５５の横方向Ｙにおける幅Ｗ１に対し、好ましくは５％以上、より好ましくは１０％以上であり、また好ましくは３５％以下、より好ましくは２５％以下であり、また好ましくは５％以上３５％以下、より好ましくは１０％以上２５％以下である。なお、中央凹部領域５５の横方向Ｙにおける幅Ｗ１は、吸収性コア２４の縦方向Ｘにおける中央凹部領域５５の凹部４Ａを有する位置での幅とする。
【００４０】
中央凹部領域５５に位置する凹部４Ａの縦方向Ｘにおける幅Ｌ４Ａは、中央凹部領域５５の縦方向Ｘにおける幅Ｌ１に対し、好ましくは２％以上、より好ましくは５％以上であり、また好ましくは１５％以下、より好ましくは１０％以下であり、また好ましくは２％以上１５％以下、より好ましくは５％以上１０％以下である。
凹部４Ａの面積Ｓａは、中央凹部領域５５の面積Ｓ１に対し、好ましくは０．１％以上、より好ましくは０．５％以上であり、また好ましくは５％以下、より好ましくは３％以下であり、また好ましくは０．１％以上５％以下、より好ましくは０．５％以上３％以下である。中央凹部領域５５の寸法及び面積については後述する。
【００４１】
コア後部２４Ｂにおける中央部５０を臀部の形状に沿ってより容易に変形させる観点から、中央凹部領域５５に位置する凹部４Ａの数は、好ましくは６個以上、より好ましくは８個以上であり、また好ましくは１００個以下、より好ましくは８０個以下であり、また好ましくは６個以上１００個以下、より好ましくは８個以上８０個以下である。
【００４２】
着用時に中央部５０の変形をより容易にする観点から、中央凹部領域５５の凹部４Ａの面積率、即ち中央凹部領域５５の面積Ｓ１に対する各凹部４Ａの合計面積Ｓ４Ａの割合は、好ましくは１５％以上、より好ましくは２５％以上であり、また好ましくは５０％以下、より好ましくは３５％以下であり、また好ましくは１５％以上５０％以下、より好ましくは２５％以上３５％以下である。
【００４３】
中央凹部領域５５に位置する各凹部４Ａは、縦方向Ｘ及び横方向Ｙに分散した状態、即ち凹部４Ａどうしが縦方向Ｘ及び横方向Ｙに間隔Ｌ１０をあけて配置されている。中央部５０における変形をより容易にする観点から、隣り合う凹部４Ａ間の間隔Ｌ１０は、好ましくは１ｍｍ以上、より好ましくは２ｍｍ以上であり、また好ましくは１０ｍｍ以下、より好ましくは７ｍｍ以下であり、また好ましくは１ｍｍ以上１０ｍｍ以下、より好ましくは２ｍｍ以上７ｍｍ以下である。なお、凹部４Ａどうしの間隔Ｌ１０は、隣り合う凹部４Ａ間の最短距離である。各間隔Ｌ１０は同じであってもよく、それぞれ異なっていてもよい。
【００４４】
側部５１，５１における臀部の盛り上がり部分に応じた屈曲をより容易にする観点から、側方凹部領域５６の凹部４Ｂの寸法及び面積は以下の範囲にあることが好ましい。
側方凹部領域に位置する凹部４Ｂの横方向Ｙにおける幅Ｗ４Ｂ（以下、横幅Ｗ４Ｂともいう）は、好ましくは１ｍｍ以上、より好ましくは２ｍｍ以上であり、また好ましくは１５ｍｍ以下、より好ましくは１０ｍｍ以下であり、また好ましくは１ｍｍ以上１５ｍｍ以下、より好ましくは２ｍｍ以上１０ｍｍ以下である。
【００４５】
側方凹部領域５６に位置する凹部４Ｂの縦方向Ｘにおける幅Ｌ４Ｂ（以下、縦幅Ｌ４Ｂともいう）は、好ましくは２ｍｍ以上、より好ましくは５ｍｍ以上であり、また好ましくは２０ｍｍ以下、より好ましくは１５ｍｍ以下であり、また好ましくは２ｍｍ以上２０ｍｍ以下、より好ましくは５ｍｍ以上１５ｍｍ以下である。
【００４６】
側方凹部領域５６に位置する凹部４Ｂの面積Ｓｂは、好ましくは２ｍｍ２以上、より好ましくは５ｍｍ２以上であり、また好ましくは２００ｍｍ２以下、より好ましくは１００ｍｍ２以下であり、また好ましくは２ｍｍ２以上２００ｍｍ２以下、より好ましくは５ｍｍ２以上１００ｍｍ２以下である。
【００４７】
側方凹部領域５６に位置する凹部４Ｂの横方向Ｙにおける幅Ｗ４Ｂは、側方凹部領域５６の横方向Ｙにおける幅Ｗ２に対し、好ましくは１％以上、より好ましくは３％以上であり、また好ましくは２０％以下、より好ましくは１５％以下であり、また好ましくは１％以上２０％以下、より好ましくは３％以上１５％以下である。なお、側方凹部領域５６の横方向Ｙにおける幅Ｗ２は、吸収性コア２４の縦方向Ｘにおける側方凹部領域５６の凹部４Ｂを有する位置での幅とする。
【００４８】
側方凹部領域５６に位置する凹部４Ｂの縦方向Ｘにおける幅Ｌ４Ｂは、側方凹部領域５６の縦方向Ｘにおける幅Ｌ１に対し、好ましくは３％以上、より好ましくは５％以上であり、また好ましくは２０％以下、より好ましくは１５％以下であり、また好ましくは３％以上２０％以下、より好ましくは５％以上１５％以下である。
【００４９】
凹部４Ｂの面積Ｓｂは、側方凹部領域５６の面積Ｓ２に対し、好ましくは０．０５％以上、より好ましくは０．１％以上であり、また好ましくは３％以下、より好ましくは２％以下であり、また好ましくは０．０５％以上３％以下、より好ましくは０．１％以上２％以下である。側方凹部領域５６の寸法及び面積については後述する。
【００５０】
コア後部２４Ｂの側部５１におけるヨレの発生をより抑制する観点から、側方凹部領域５６に位置する凹部４Ｂの数は、好ましくは６個以上、より好ましくは８個以上であり、また好ましくは１００個以下、より好ましくは６０個以下であり、また好ましくは６個以上１００個以下、より好ましくは８個以上６０個以下である。
【００５１】
側方凹部領域５６の凹部４Ｂの面積率、即ち側方凹部領域５６の面積Ｓ２に対する各凹部４Ｂの合計面積Ｓ４Ｂの割合は、好ましくは４％以上、より好ましくは７％以上であり、また好ましくは２０％以下、より好ましくは１６％以下であり、また好ましくは４％以上２０％以下、より好ましくは７％以上１６％以下である。
【００５２】
着用時、コア後部２４Ｂの側部５１におけるヨレの発生をより抑制する観点から、側方凹部領域５６に位置する凹部４Ｂは、中央凹部領域５５に位置する各凹部４Ａと同様に、隣り合う凹部４Ｂどうしが縦方向Ｘ及び横方向Ｙに間隔Ｌ１１をあけて配置されている。隣り合う凹部４Ｂ間の間隔Ｌ１１は、好ましくは１ｍｍ以上、より好ましくは２ｍｍ以上であり、また好ましくは１０ｍｍ以下、より好ましくは７ｍｍ以下であり、また好ましくは１ｍｍ以上１０ｍｍ以下、より好ましくは２ｍｍ以上７ｍｍ以下である。なお、凹部４Ｂどうしの間隔Ｌ１１は、隣り合う凹部４Ｂ間の最短距離である。各間隔Ｌ１１は同じであってもよく、それぞれ異なっていてもよい。
【００５３】
コア後部２４Ｂにおける歪の発生をより抑制する観点から、凹部４の縦横比は、中央凹部領域５５よりも側方凹部領域５６の方が大きいことが好ましい。中央凹部領域５５の凹部４Ａの縦横比に対する、側方凹部領域５６の凹部４Ｂの縦横比は、好ましくは１．５倍以上、より好ましくは２倍以上であり、また好ましくは２０倍以下、より好ましくは１０倍以下であり、また好ましくは１．５倍以上２０倍以下、より好ましくは２倍以上１０倍以下である。
【００５４】
同様の観点から、中央凹部領域５５の凹部４Ａの面積Ｓａに対する、側方凹部領域５６の凹部４Ｂの面積Ｓｂは、好ましくは２倍以上、より好ましくは３倍以上であり、また好ましくは４０倍以下、より好ましくは２５倍以下であり、また好ましくは２倍以上４０倍以下、より好ましくは３倍以上２５倍以下である。
【００５５】
中央凹部領域５５は臀部の割れ目に当接する位置にあることが好ましい。より具体的には、図７（ａ）に示す中央凹部領域５５のコア後部２４Ｂにおける位置が以下の範囲であることが好ましい。
中央凹部領域５５の前端Ｆ１と、縦中心線ＣＬｘとの縦方向Ｘにおける距離Ｐ１が、好ましくは２０ｍｍ以上、より好ましくは３０ｍｍ以上であり、また好ましくは１００ｍｍ以下、より好ましくは８０ｍｍ以下であり、また好ましくは２０ｍｍ以上１００ｍｍ以下、より好ましくは３０ｍｍ以上８０ｍｍ以下である。
【００５６】
中央凹部領域５５の後端Ｂ１と、コア後部２４Ｂの後端２４ｂとの縦方向Ｘにおける距離Ｐ２は、好ましくは２０ｍｍ以上、より好ましくは３０ｍｍ以上であり、また好ましくは８０ｍｍ以下、より好ましくは６０ｍｍ以下であり、また好ましくは２０ｍｍ以上８０ｍｍ以下、より好ましくは３０ｍｍ以上６０ｍｍ以下である。
【００５７】
中央凹部領域５５は、図７（ａ）に示すように、コア後部２４Ｂの一方の側端Ｔと、該側端Ｔ側に位置する中央凹部領域５５の側端Ｔ１との横方向Ｙにおける最短距離Ｐ３が、好ましくは２０ｍｍ以上、より好ましくは３０ｍｍ以上であり、また好ましくは１００ｍｍ以下、より好ましくは８０ｍｍ以下であり、また好ましくは２０ｍｍ以上１００ｍｍ以下、より好ましくは３０ｍｍ以上８０ｍｍ以下である。なお、中央凹部領域５５は、横方向Ｙの両側のそれぞれの距離Ｐ３が、上記の範囲となるようコア後部２４Ｂに位置していることが好ましい。
【００５８】
中央凹部領域５５は、少なくともその一部がコア後部２４Ｂの中央部５０に位置しており、好ましくはコア後部２４Ｂの横方向Ｙにおける最大幅を互いに平行な２直線で３等分したときの中央の区分に位置している。また、中央凹部領域５５の一部がコア後部２４Ｂの中央部５０からはみ出して、側部５１，５１に存在していてもよい。
【００５９】
また、中央凹部領域５５を臀部の割れ目部分により確実に当接させるため、図７（ａ）に示す中央凹部領域５５の寸法が以下の範囲であることが好ましい。
中央凹部領域５５の横方向Ｙにおける幅Ｗ１は好ましくは２０ｍｍ以上、より好ましくは３０ｍｍ以上であり、また好ましくは８０ｍｍ以下、より好ましくは６０ｍｍ以下であり、また好ましくは２０ｍｍ以上８０ｍｍ以下、より好ましくは３０ｍｍ以上６０ｍｍ以下である。
【００６０】
中央凹部領域５５の横方向Ｙにおける幅Ｗ１は、コア後部２４Ｂの横方向Ｙにおける幅Ｗに対し、好ましくは２０％以上、より好ましくは３０％以上であり、また好ましくは７０％以下、より好ましくは５０％以下であり、また好ましくは２０％以上７０％以下、より好ましくは３０％以上５０％以下である。なお、コア後部２４Ｂの横方向Ｙにおける幅Ｗは、コア後部２４Ｂの縦方向Ｘにおける中央凹部領域５５を有する位置での幅とする。
【００６１】
中央凹部領域５５の縦方向Ｘにおける幅Ｌ１は、好ましくは７０ｍｍ以上、より好ましくは８０ｍｍ以上であり、また好ましくは１８０ｍｍ以下、より好ましくは１５０ｍｍ以下であり、また好ましくは７０ｍｍ以上１８０ｍｍ以下、より好ましくは８０ｍｍ以上１５０ｍｍ以下である。
【００６２】
中央凹部領域５５の縦方向Ｘにおける幅Ｌ１は、縦中心線ＣＬｘからコア後部２４Ｂの後端２４ｂまでの縦方向Ｘにおける幅Ｌに対し、好ましくは４０％以上、より好ましくは５０％以上であり、また好ましくは９８％以下、より好ましくは９０％以下であり、また好ましくは４０％以上９８％以下、より好ましくは５０％以上９０％以下である。
【００６３】
着用時におけるコア後部２４Ｂの中央部５０の歪の発生をより抑制する観点から、中央凹部領域５５の面積Ｓ１は、好ましくは１４００ｍｍ２以上、より好ましくは２４００ｍｍ２以上であり、また好ましくは１５０００ｍｍ２以下、より好ましくは９０００ｍｍ２以下であり、また好ましくは１４００ｍｍ２以上１５０００ｍｍ２以下、より好ましくは２４００ｍｍ２以上９０００ｍｍ２以下である。
同様の観点から、中央凹部領域５５の面積Ｓ１は、コア後部２４Ｂの面積ＳＡに対し、好ましくは１０％以上、より好ましくは２０％以上であり、また好ましくは５０％以下、より好ましくは４０％以下であり、また好ましくは１０％以上５０％以下、より好ましくは２０％以上４０％以下である。
【００６４】
臀部の割れ目に合わせて、コア後部２４Ｂをより容易に変形させる観点から、中央凹部領域５５は、縦方向Ｘに延在していることが好ましい。この効果をより確実に奏させるため、中央凹部領域５５の縦方向Ｘにおける幅Ｌ１は、中央凹部領域５５の横方向Ｙにおける幅Ｗ１に対し、好ましくは２００％以上、より好ましくは２５０％以上であり、また好ましくは４００％以下、より好ましくは３００％以下であり、また好ましくは２００％以上４００％以下、より好ましくは２５０％以上３００％以下である。
【００６５】
側方凹部領域５６は、中央部５０即ち中央凹部領域５５の横方向Ｙの両側それぞれに、中央凹部領域５５を挟む形で形成される。側方凹部領域５６は、臀部の盛り上がり部分に当接する位置にあることが好ましい。具体的には、側方凹部領域５６のコア後部２４Ｂにおける位置は以下の範囲であることが好ましい。
側方凹部領域５６の前端Ｆ２と、縦中心線ＣＬｘとの縦方向Ｘにおける距離Ｐ４が、好ましくは２５ｍｍ以上、より好ましくは３５ｍｍ以上であり、また好ましくは１１０ｍｍ以下、より好ましくは９０ｍｍ以下であり、また好ましくは２５ｍｍ以上１１０ｍｍ以下、より好ましくは３５ｍｍ以上９０ｍｍ以下である。
【００６６】
側方凹部領域５６の後端Ｂ２と、コア後部２４Ｂの後端２４ｂとの縦方向Ｘにおける距離Ｐ５は、好ましくは２０ｍｍ以上、より好ましくは３０ｍｍ以上であり、また好ましくは８０ｍｍ以下、より好ましくは６０ｍｍ以下であり、また好ましくは２０ｍｍ以上８０ｍｍ以下、より好ましくは３０ｍｍ以上６０ｍｍ以下である。なお、コア後部２４Ｂが後述する後方凹部領域５７を有する場合、側方凹部領域５６と後方凹部領域５７とは、図６（ａ）に示すように、縦方向Ｘにおいて重なって配置されていてもよい。
【００６７】
側方凹部領域５６は、図７（ａ）に示すように、コア後部２４Ｂの一方の側端Ｔと、該側端Ｔ側に位置する側方凹部領域５６の側端Ｔ２との横方向Ｙにおける最短距離Ｐ６が、好ましくは３ｍｍ以上、より好ましくは５ｍｍ以上であり、また好ましくは２０ｍｍ以下、より好ましくは１５ｍｍ以下であり、また好ましくは３ｍｍ以上２０ｍｍ以下、より好ましくは５ｍｍ以上１５ｍｍ以下である。側方凹部領域５６は、横方向Ｙの両側のそれぞれ距離Ｐ６が、上記の範囲となるようコア後部２４Ｂに位置していることが好ましい。
【００６８】
側方凹部領域５６は、少なくともその一部がコア後部２４の横方向Ｙの中央部５０を挟む両側即ち側部５１，５１それぞれに位置していればよく、好ましくは側方凹部領域５６の面積の半分以上、より好ましくは８０％以上が側部５１，５１に位置している。また、側方凹部領域５６は、好ましくは側方凹部領域５６の一部、より好ましくは側方凹部領域５６の面積Ｓ２の半分以上、さらに好ましくは該面積Ｓ２の８０％以上が、コア後部２４Ｂの横方向Ｙにおける最大幅を３等分にしたときの中央の区分を挟む両側の区分それぞれに位置している。
【００６９】
側方凹部領域５６における臀部の盛り上がり部分により容易に当接させるため、側方凹部領域５６の寸法は以下の範囲であることが好ましい。
側方凹部領域５６の横方向Ｙにおける幅Ｗ２は好ましくは１５ｍｍ以上、より好ましくは２５ｍｍ以上であり、また好ましくは７５ｍｍ以下、より好ましくは６５ｍｍ以下であり、また好ましくは１５ｍｍ以上７５ｍｍ以下、より好ましくは２５ｍｍ以上６５ｍｍ以下である。
【００７０】
側方凹部領域５６の横方向Ｙにおける幅Ｗ２は、コア後部２４Ｂの横方向Ｙにおける幅Ｗに対し、好ましくは１５％以上、より好ましくは２０％以上であり、また好ましくは５０％以下、より好ましくは３０％以下であり、また好ましくは１５％以上５０％以下、より好ましくは２０％以上３０％以下である。なお、コア後部２４Ｂの横方向Ｙにおける幅Ｗは、吸収性コア２４の縦方向Ｘにおける側方凹部領域５６を有する位置での幅とする。
【００７１】
側方凹部領域５６の縦方向Ｘにおける幅Ｌ２は、好ましくは６５ｍｍ以上、より好ましくは７５ｍｍ以上であり、また好ましくは１７５ｍｍ以下、より好ましくは１４５ｍｍ以下であり、また好ましくは６５ｍｍ以上１７５ｍｍ以下、より好ましくは７５ｍｍ以上１４５ｍｍ以下である。
【００７２】
側方凹部領域５６の縦方向Ｘにおける幅Ｌ２は、コア後部２４Ｂの縦方向における長さＬに対し、好ましくは３５％以上、より好ましくは４５％以上であり、また好ましくは９５％以下、より好ましくは８５％以下であり、また好ましくは３５％以上９５％以下、より好ましくは４５％以上８５％以下である。
【００７３】
着用時、コア後部２４Ｂの側部５１にヨレが発生する場合があり、側部５１のヨレの発生をより抑制する観点から、側方凹部領域５６の面積Ｓ２は、好ましくは９００ｍｍ２以上、より好ましくは１９００ｍｍ２以上であり、また好ましくは１３０００ｍｍ２以下、より好ましくは８０００ｍｍ２以下であり、また好ましくは９００ｍｍ２以上１３０００ｍｍ２以下、より好ましくは１９００ｍｍ２以上８０００ｍｍ２以下である。
同様の観点から、側方凹部領域５６の面積Ｓ２は、コア後部２４Ｂの面積ＳＡに対し、好ましくは２５％以上、より好ましくは３０％以上であり、また好ましくは４５％以下、より好ましくは４０％以下であり、また好ましくは２５％以上４５％以下、より好ましくは３０％以上４０％以下である。
【００７４】
コア後部２４Ｂの中央部５０における歪の発生をより抑制し、コア後部２４Ｂの側部５１，５１におけるフィット性をより向上させる観点から、凹部４の面積率は、側方凹部領域５６よりも中央凹部領域５５の方が大きいことが好ましい。この効果をより確実に奏させるため、中央凹部領域５５の凹部の面積率は、側方凹部領域５６の凹部の面積率に対して、好ましくは２００％以上、より好ましくは４００％以上であり、また好ましくは１０００％以下、より好ましくは８００％以下であり、また好ましくは２００％以上１０００％以下、より好ましくは４００％以上８００％以下である。
【００７５】
本実施形態において、図５に示すように、中央凹部領域５５には、中央凹部領域５５には、縦方向Ｘに４個の凹部４Ａが並んだ列が横方向Ｙに２列配されている。図６（ａ）に示すように、縦方向Ｘに２つの凹部４Ａが並んだ列が横方向Ｙに３列配されている。このように、中央凹部領域５５は、縦方向Ｘに並んだ複数の凹部４Ａの列を横方向Ｙに複数有することが好ましく、各列の凹部４Ａの数は同じでもよく、それぞれ異なっていてもよい。
中央凹部領域５５は、横方向Ｙに並んだ複数の凹部４Ａの列を縦方向Ｘに複数有していてもよく、各列の凹部４Ａの数は同じでもよく、それぞれ異なっていてもよい。
また、中央凹部領域５５は、横方向Ｙに並んだ凹部４Ａの列を縦方向Ｘに複数有しており、且つ各列がそれぞれ異なる数の凹部４Ａを有していてもよい。中央凹部領域５５は、図６（ｂ）に示すように、コア後部２４Ｂの前端側から後端側にかけて位置する横方向Ｙに並ぶ凹部４Ａの個数が異なっていてもよい。
さらに、図５及び図６（ａ）に示すように、中央凹部領域５５における個々の凹部４Ａは縦方向Ｘの位置が一致している。中央凹部領域５５における個々の凹部４Ａは縦方向Ｘの位置が一致していてもよく、それぞれ異なっていてもよい。
【００７６】
本実施形態において、図５、図６（ａ）及び（ｂ）に示すように、側方凹部領域５６には、縦方向Ｘに複数の凹部４Ｂが並んだ列が横方向Ｙに複数並んでいる。このように、側方凹部領域５６は、縦方向Ｘに並んだ複数の凹部４Ｂの列を横方向Ｙに複数有することが好ましく、各列の凹部４Ｂの数は同じでもよく、それぞれ異なっていてもよい。
また、側方凹部領域５６は、横方向Ｙに並んだ複数の凹部４Ｂの列を縦方向Ｘに複数有していてもよく、各列の凹部４Ｂの数は同じでもよく、それぞれ異なっていてもよい。
また、図５及び図６（ａ）に示すように、側方凹部領域５６における個々の凹部４Ｂは縦方向Ｘの位置が一致している。一方、図６（ｂ）に示すように、側方凹部領域５６における個々の凹部４Ｂは縦方向Ｘの位置がそれぞれ異なる。側方凹部領域５６における個々の凹部４Ｂは縦方向Ｘの位置が一致していてもよく、それぞれ異なっていてもよい。
【００７７】
コア後部２４Ｂは、中央凹部領域５５より後方に、複数の凹部を有する後方凹部領域５７を有していることが好ましい。より具体的には、図６（ａ）に示すように、後方凹部領域５７は、縦方向Ｘにおいて中央凹部領域５５の後方即ち吸収性コア２４の後端２４ｂ側に位置し、横方向Ｙにおいて中央凹部領域５５と重なっている。なお、中央凹部領域５５及び側方凹部領域５６と同様に、後方凹部領域５７は、該領域の中心から最も外方に位置する凹部４、即ち各領域の縦方向Ｘ又は横方向Ｙにおいて最も外方に位置する各凹部４の外周部の一部及びこれらを結んだ線で囲まれた領域であり、最も外方に位置する各凹部４の外周部において、該外周部のうち縦方向Ｘ又は横方向Ｙにおいて最も外方に位置する外周部の一部どうしを結ぶ線で囲まれた領域である。後方凹部領域５７を配置することで、臀部の背側寄りの部分は緩やかな曲面を有するため、該部分へのフィット性をより向上させ得る。
【００７８】
上記の効果をより確実に奏させるため、凹部の縦横比は、後方凹部領域５７よりも中央凹部領域５５の方が大きいことが好ましい。後方凹部領域５７の凹部４Ｃの縦横比に対する、中央凹部領域５５の凹部４Ａの縦横比は、好ましくは１．２倍以上、より好ましくは１．７倍以上であり、また好ましくは４０倍以下、より好ましくは２０倍以下であり、また好ましくは１．２倍以上４０倍以下、より好ましくは１．７倍以上２０倍以下である。
後方凹部領域５７の凹部４Ｃの縦横比（縦幅Ｌ４Ｃ／横幅Ｗ４Ｃ）は、好ましくは０．０５以上、より好ましくは０．１以上であり、また好ましくは０．８以下、より好ましくは０．６以下であり、また好ましくは０．０５以上０．８以下、より好ましくは０．１以上０．６以下である。
【００７９】
また、上記の効果をより確実に奏させるため、後方凹部領域５７は、図６（ａ）に示すように、横方向Ｙにおいて中央凹部領域５５だけでなく、側方凹部領域５６とも重なっていることが好ましい。
同様の観点から、図７（ａ）に示す後方凹部領域５７の位置や寸法等、及び図７（ｂ）に示す該領域に位置する凹部４Ｃの各寸法等は以下の範囲であることが好ましい。
【００８０】
後方凹部領域５７の前端Ｆ３と、縦中心線ＣＬｘとの縦方向Ｘにおける距離Ｐ７が、好ましくは８０ｍｍ以上、より好ましくは９０ｍｍ以上であり、また好ましくは１７０ｍｍ以下、より好ましくは１５０ｍｍ以下であり、また好ましくは８０ｍｍ以上１７０ｍｍ以下、より好ましくは９０ｍｍ以上１５０ｍｍ以下である。
後方凹部領域５７の後端Ｂ３と、コア後部２４Ｂの後端２４ｂとの縦方向Ｘにおける距離Ｐ８が、好ましくは３ｍｍ以上、より好ましくは５ｍｍ以上であり、また好ましくは１５ｍｍ以下、より好ましくは１０ｍｍ以下であり、また好ましくは３ｍｍ以上１５ｍｍ以下、より好ましくは５ｍｍ以上１０ｍｍ以下である。
【００８１】
後方凹部領域５７は、図７（ａ）に示すように、コア後部２４Ｂの一方の側端Ｔと、該側端Ｔ側に位置する後方凹部領域５７の側端Ｔ３との横方向Ｙにおける最短距離Ｐ９が、好ましくは３ｍｍ以上、より好ましくは５ｍｍ以上であり、また好ましくは２０ｍｍ以下、より好ましくは１５ｍｍ以下であり、また好ましくは３ｍｍ以上２０ｍｍ以下、より好ましくは５ｍｍ以上１５ｍｍ以下である。なお、後方凹部領域５７は横方向Ｙの両側のそれぞれの距離Ｐ９が、上記の範囲となるようコア後部２４Ｂに位置していることが好ましい。
後方凹部領域５７は、その一部が横方向Ｙにおいて中央凹部領域５５と重なる位置に存在していればよく、図６（ａ）及び図７に示すように、好ましくは横方向Ｙにおいて中央凹部領域５５及び側方凹部領域５６と重なる位置に存在している。
【００８２】
後方凹部領域５７の横方向Ｙにおける幅Ｗ３は好ましくは３０ｍｍ以上、より好ましくは５０ｍｍ以上であり、また好ましくは２１０ｍｍ以下、より好ましくは１５０ｍｍ以下であり、また好ましくは３０ｍｍ以上２１０ｍｍ以下、より好ましくは５０ｍｍ以上１５０ｍｍ以下である。
【００８３】
後方凹部領域５７の横方向Ｙにおける幅Ｗ３は、コア後部２４Ｂの横方向Ｙにおける幅Ｗに対し、好ましくは３０％以上、より好ましくは５０％以上であり、また好ましくは９０％以下、より好ましくは７０％以下であり、また好ましくは３０％以上９０％以下、より好ましくは５０％以上７０％以下である。なお、コア後部２４Ｂの横方向Ｙにおける幅Ｗは、コア後部２４Ｂの縦方向Ｘにおける中央凹部領域５５を有する位置での幅とする。
【００８４】
後方凹部領域５７の縦方向Ｘにおける幅Ｌ３は、好ましくは１０ｍｍ以上、より好ましくは２０ｍｍ以上であり、また好ましくは５０ｍｍ以下、より好ましくは３０ｍｍ以下であり、また好ましくは１０ｍｍ以上５０ｍｍ以下、より好ましくは２０ｍｍ以上３０ｍｍ以下である。
後方凹部領域５７の縦方向Ｘにおける幅Ｌ３は、コア後部２４Ｂの縦方向における長さ、即ち縦中心線ＣＬｘから吸収性コア２４の後端までの幅Ｌに対し、好ましくは５％以上、より好ましくは１０％以上であり、また好ましくは２５％以下、より好ましくは１５％以下であり、また好ましくは５％以上２５％以下、より好ましくは１０％以上１５％以下である。
【００８５】
後方凹部領域５７の面積Ｓ３は、好ましくは３００ｍｍ２以上、より好ましくは１０００ｍｍ２以上であり、また好ましくは１００００ｍｍ２以下、より好ましくは４５００ｍｍ２以下であり、また好ましくは３００ｍｍ２以上１００００ｍｍ２以下、より好ましくは１０００ｍｍ２以上４５００ｍｍ２以下である。
後方凹部領域５７の面積Ｓ３は、コア後部２４Ｂの面積ＳＡに対し、好ましくは５％以上、より好ましくは１０％以上であり、また好ましくは４５％以下、より好ましくは３０％以下であり、また好ましくは５％以上４５％以下、より好ましくは１０％以上３０％以下である。
【００８６】
後方凹部領域５７には縦方向Ｘ及び横方向Ｙに分散した状態に複数の凹部４Ｃが形成されている。凹部４Ｃの横方向Ｙにおける幅Ｗ４Ｃは、好ましくは５ｍｍ以上、より好ましくは１０ｍｍ以上であり、また好ましくは２０ｍｍ以下、より好ましくは１５ｍｍ以下であり、また好ましくは５ｍｍ以上２０ｍｍ以下、より好ましくは１０ｍｍ以上１５ｍｍ以下である。
【００８７】
後方凹部領域５７に位置する凹部４Ｃの横方向Ｙにおける幅Ｗ４Ｃは、後方凹部領域５７の横方向Ｙにおける幅Ｗ３に対し、好ましくは２％以上、より好ましくは５％以上であり、また好ましくは１５％以下、より好ましくは１０％以下であり、また好ましくは２％以上１５％以下、より好ましくは５％以上１０％以下である。なお後方凹部領域５７の横方向Ｙにおける幅Ｗ３は、吸収性コア２４の縦方向Ｘにおける後方凹部領域５７の凹部４Ｃを有する位置での幅とする。
【００８８】
後方凹部領域５７に位置する凹部４Ｃの縦方向Ｘにおける長さＬ４Ｃは、好ましくは１ｍｍ以上、より好ましくは２ｍｍ以上であり、また好ましくは１５ｍｍ以下、より好ましくは１０ｍｍ以下であり、また好ましくは１ｍｍ以上１５ｍｍ以下、より好ましくは２ｍｍ以上１０ｍｍ以下である。なお、凹部４Ｃの縦方向Ｘの長さＬ４Ｃは、上記の凹部４Ａ及び４Ｂと同様に、一定であっても、一定でなくてもよい。
【００８９】
後方凹部領域５７に位置する凹部４Ｃの縦方向Ｘにおける長さＬ４Ｃは、後方凹部領域５７の縦方向Ｘにおける幅Ｌ３に対し、好ましくは１％以上、より好ましくは２％以上であり、また好ましくは１０％以下、より好ましくは７％以下であり、また好ましくは１％以上１０％以下、より好ましくは２％以上７％以下である。
【００９０】
後方凹部領域５７に位置する各凹部４Ｃの面積Ｓｃは、好ましくは２ｍｍ２以上、より好ましくは５ｍｍ２以上であり、また好ましくは２００ｍｍ２以下、より好ましくは１００ｍｍ２以下であり、また好ましくは２ｍｍ２以上２００ｍｍ２以下、より好ましくは５ｍｍ２以上１００ｍｍ２以下である。
凹部４Ｃの面積Ｓｃは、後方凹部領域５７の面積Ｓ３に対し、好ましくは０．０５％以上、より好ましくは０．１％以上であり、また好ましくは３％以下、より好ましくは２％以下であり、また好ましくは０．０５％以上３％以下、より好ましくは０．１％以上２％以下である。
【００９１】
後方凹部領域５７に位置する凹部４Ｃの数は、好ましくは５個以上、より好ましくは１０個以上であり、また好ましくは５０個以下、より好ましくは３０個以下であり、また好ましくは５個以上５０個以下、より好ましくは１０個以上３０個以下である。
【００９２】
後方凹部領域５７は、図５及び図６（ａ）に示すように、縦方向Ｘに複数の凹部４Ｃが並んだ列を横方向Ｙに複数有していることが好ましい。本実施形態において、図５及び図６（ａ）に示すように、後方凹部領域５７には、縦方向Ｘに３つの凹部４Ｃが並んだ列が、横方向Ｙに４又は３列並んでいる。縦方向Ｘに複数の凹部４Ｃが並んだ列を横方向Ｙに複数有している場合、各列の凹部４Ｃの数は同じでもよく、それぞれ異なっていてもよい。
後方凹部領域５７は、横方向Ｙに複数の凹部４Ｃが並んだ列を縦方向Ｘに複数有していることが好ましく、各列の凹部４Ｃの数は同じでもよく、それぞれ異なっていてもよい。
後方凹部領域５７は、図６（ｂ）に示すように、後方凹部領域５７は、横方向Ｙに複数の凹部４Ｃが並んだ列を少なくとも１列以上有していることが好ましい。
【００９３】
後方凹部領域５７に位置する各凹部４Ｃの合計面積Ｓ４Ｃは、好ましくは８０ｍｍ２以上、より好ましくは１５０ｍｍ２以上であり、また好ましくは８００ｍｍ２以下、より好ましくは５００ｍｍ２以下であり、また好ましくは８０ｍｍ２以上８００ｍｍ２以下、より好ましくは１５０ｍｍ２以上５００ｍｍ２以下である。
後方凹部領域５７における凹部４Ｃの面積率、即ち後方凹部領域５７の面積Ｓ３に対する各凹部４Ｃの合計面積Ｓ４Ｃの割合は、好ましくは３０％以上、より好ましくは５０％以上であり、また好ましくは９０％以下、より好ましくは８０％以下であり、また好ましくは３０％以上９０％以下、より好ましくは５０％以上８０％以下である。
【００９４】
後方凹部領域５７に位置する各凹部４Ｃは、隣り合う凹部４Ｃどうしが縦方向Ｘ及び横方向Ｙに間隔Ｌ１２をあけて配置されている。隣り合う凹部４Ｃ間の間隔Ｌ１２は、好ましくは１ｍｍ以上、より好ましくは２ｍｍ以上であり、また好ましくは１０ｍｍ以下、より好ましくは７ｍｍ以下であり、また好ましくは１ｍｍ以上１０ｍｍ以下、より好ましくは２ｍｍ以上７ｍｍ以下である。なお、凹部４Ｃどうしの間隔Ｌ１２は、隣り合う凹部４Ｃ間の最短距離である。各間隔Ｌ１２は同じであってもよく、それぞれ異なっていてもよい。
【００９５】
後方凹部領域５７の凹部の面積率は、中央凹部領域５５の凹部の面積率に対して、好ましくは５％以上、より好ましくは１０％以上であり、また好ましくは４０％以下、より好ましくは２０％以下であり、また好ましくは５％以上４０％以下、より好ましくは１０％以上２０％以下である。
【００９６】
本実施形態において、図６（ｂ）に示すように、コア後部２４Ｂの後端２４ｂ側且つ横方向Ｙの両端における角部５８に、該角部５８に対向した状態に斜めに配向した凹部４Ｄが形成されていることが好ましい。斯かる構成により、コア後部２４Ｂの角部５８を臀部の形状に合わせて屈曲させることができる。
角部５８は、１つの凹部４Ｄを有していてもよく、複数の凹部４Ｄを有していてもよい。
角部５８は、図６（ｂ）に示すように、その一部が縦方向Ｘにおいて中央凹部領域５５又は後方凹部領域５７と重なる位置に存在していることが好ましい。また、角部５８は、図６（ｂ）に示すように、その一部が横方向Ｙにおいて中央凹部領域５５又は側方凹部領域５６と重なる位置に存在していることが好ましい。
【００９７】
上記の中央凹部領域５５、側方凹部領域５６、後方凹部領域５７及び角部５８における各凹部４Ａ，４Ｂ，４Ｃ、４Ｄは、図８（ｃ）に示すように吸収性コア２４を貫通する貫通部であるか、又は他の部分に比して低坪量であることが好ましい。斯かる構成により、コア後部２４Ｂの変形をより容易とし、コア後部２４Ｂがより柔らかくなる。
各凹部４Ａ，４Ｂ，４Ｃ、４Ｄが他の部分に比して低坪量である場合、各凹部４Ａ，４Ｂ，４Ｃ、４Ｄは、図８（ａ）又は（ｂ）に示すように吸収性コア２４の肌対向面側及び非肌対向面側のいずれか一方に開口した底部を有するが、該開口部分が吸収性コア２４の形成材料からなる層で塞がれていてもよい。
【００９８】
各凹部４Ａ，４Ｂ，４Ｃが他の部分に比して低坪量である場合、各凹部４Ａ，４Ｂ，４Ｃ、４Ｄの厚み方向における深さは、吸収性コア２４の厚みに対し、好ましくは５０％以上、より好ましくは７０％以上であり、また好ましくは１００％以下、より好ましくは９８％以下であり、また好ましくは５０％以上１００％以下、より好ましくは７０％以上９８％以下である。なお、他の部分は、中央凹部領域５５、側方凹部領域５６及び後方凹部領域５７における各凹部４Ａ，４Ｂ，４Ｃ、４Ｄ以外の部分である。
【００９９】
上記の効果をより確実に奏させるため、凹部４Ａ，４Ｂ，４Ｃ、４Ｄの各坪量は、他の部分の坪量に対して、好ましくは７０％以下、より好ましくは５０％以下である。
凹部４Ａ，４Ｂ，４Ｃの坪量は、好ましくは０ｇ／ｍ２以上、より好ましくは１０ｇ／ｍ２以上であり、また好ましくは４２０ｇ／ｍ２以下、より好ましくは３００ｇ／ｍ２以下であり、また好ましくは０ｇ／ｍ２以上４２０ｇ／ｍ２以下、より好ましくは１０ｇ／ｍ２以上３００ｇ／ｍ２以下である。
他の部分即ち凹部非形成部分の坪量は、好ましくは８０ｇ／ｍ２以上、より好ましくは９０ｇ／ｍ２以上であり、また好ましくは６００ｇ／ｍ２以下、より好ましくは５００ｇ／ｍ２以下であり、また好ましくは８０ｇ／ｍ２以上６００ｇ／ｍ２以下、より好ましくは９０ｇ／ｍ２以上５００ｇ／ｍ２以下である。
【０１００】
上記の中央凹部領域５５、側方凹部領域５６、後方凹部領域５７及び角部５８おける各凹部４Ａ，４Ｂ，４Ｃ、４Ｄの形状は特に制限されず、円形状の如き、平面視で方向性のない形状でも良く、矩形形状の如き、平面視で方向性のある形状でも良い。
【０１０１】
吸収性コア２４は、臀部に当接する部分において肌対向面側に隆起している形状であることが好ましい。より具体的には、図９に示すように、吸収性コア２４において、後方第１領域２４３、場合によってはこれに加えてさらに中央幅狭部２４０における後方第１領域２４３寄りの部分が、横中心線ＣＬｙを折曲線として非肌対向面を内側にして山折りに変形、即ち横方向Ｙに沿う断面視において逆Ｖ字状に変形して隆起部２４５が形成され、その隆起部２４５が着用者の臀裂にフィットすると共に、後方第２領域２４４が、着用者の臀部の曲面形状に沿うように、着用者の肌側に向けて凹の凹状に変形して臀部に密着する。このように吸収性コア２４を変形させることにより、吸収性物品が着用者の股下の形状に沿って密着しやすくなり、フィット性をより向上させることができる。
吸収性コア２４がこのように変形することによって、コア後部２４Ｂの中央部５０が大きく屈曲して、歪みが発生する。また、コア後部２４Ｂの側部５１，５１も屈曲し過ぎて、歪みが発生する。この歪みが、吸収性コア２４を臀部の形状に合わせて変形させることを阻害し得る。また、歪みにより発生したしわが液流れを引き起こす場合がある。しかし、上述した通り、本発明の吸収性物品即ちおむつ１は、中央凹部領域５５及び側方凹部領域５６の存在によって、吸収性コア２４（コア後部２４Ｂ）を臀部の割れ目及び盛り上がり部分の形状に合わせて変形させることができ、着用時の吸収性コアにおける歪み及びしわの発生を防止すると共に、液流れの発生を防止し得る。
【０１０２】
本発明の吸収性物品は、上記実施形態におけるパンツ型使い捨ておむつ（パンツ型着用物品）に限らず、展開型使い捨ておむつや尿取りパッドであってもよい。また、成人用に限らず、幼児用等であっても良い。
【符号の説明】
【０１０３】
１  パンツ型使い捨ておむつ（吸収性物品）
２  吸収性本体
２１  表面シート
２２  裏面シート
２３  吸収体
２４  吸収性コア
２４Ａ  コア前部
２４Ｂ  コア後部
２４０  中央幅狭部
２４１  コア前方部
２４２  コア後方部
２４３  後方第１領域
２４４  後方第２領域
２４５  隆起部
２５  コアラップシート
３  外装体
３１  外層シート
３２  内層シート
４  凹部
４Ａ  中央凹部領域に位置する凹部
４Ｂ  側方凹部領域に位置する凹部
４Ｃ  後方凹部領域に位置する凹部
５０  中央部
５１  側部
５５  中央凹部領域
５６  側方凹部領域
５７  後方凹部領域
５８  角部
Ａ  腹側部
Ｂ  股下部
Ｃ  背側部
ＣＬｘ  縦中心線
ＣＬｙ  横中心線
Ｓ  サイドシール部
Ｘ  縦方向
Ｙ  横方向
【図１】
2018102716.tif 000003
【図２】
2018102716.tif 000004
【図３】
2018102716.tif 000005
【図４】
2018102716.tif 000006
【図５】
2018102716.tif 000007
【図６】
2018102716.tif 000008
【図７】
2018102716.tif 000009
【図８】
2018102716.tif 000010
【図９】
2018102716.tif 000011